【事件の表示】
　特願２０１０−５３１６２４「一体化された非対称平面パネル型コーンビームＣＴ及びＳＰＥＣＴシステムを備えた核医学ＳＰＥＣＴ−ＣＴ装置」拒絶査定不服審判事件〔平成２１年　５月１４日国際公開、ＷＯ２００９／０６０３４４、平成２３年　１月２７日国内公表、特表２０１１−５０２５６７〕について、次のとおり審決する。
【結　論】
　本件審判の請求は、成り立たない。
【理　由】
第１　手続の経緯
　本願は、平成２０年１０月２９日（パリ条約による優先権主張２００７年１１月６日、米国、２００８年６月１３日、米国）を国際出願日とする出願であって、平成２５年５月１日に手続補正がなされ、同年５月２４日付けで拒絶査定がなされた。
　これに対し、同年９月２７日に拒絶査定に対する不服審判請求がなされ、同時に手続補正がなされたものである。
　
第２　平成２５年９月２７日付けの手続補正についての補正の却下の決定
［補正の却下の決定の結論］
　　平成２５年９月２７日付けの手続補正を却下する。
　
［理由］
１．補正後の請求項に記載された発明
　平成２５年９月２７日付けの手続補正（以下「本件補正」という。）により、本願の特許請求の範囲の請求項１は、特許請求の範囲の減縮を目的として、以下のように補正された。
　「回転式ガントリーに搭載された少なくとも２つの核医学検出器ヘッド；
　前記ガントリーに搭載されたＸ線源；
　前記Ｘ線源に対向し且つ前記Ｘ線源に対してオフセットされて前記ガントリーに搭載されたＸ線検出器；及び
　前記Ｘ線検出器と前記ガントリー上のマウントとにヒンジ動作可能に結合され、前記Ｘ線検出器を収納位置及び伸張位置で固定する自動固定式伸張アーム；
　を含み、
　前記Ｘ線源の視野（ＦＯＶ）と前記核医学検出器ヘッドのＦＯＶとが互いに重なり合い、
　前記Ｘ線検出器は、使用されないときに前記回転式ガントリーの正面の後方に回転されるように、前記回転式ガントリーに回転可能に搭載される、
　複合型患者撮像システム。」（以下「補正発明」という。）
　
　そこで、上記補正発明が特許出願の際独立して特許を受けることができるものであるか否かについて、以下に検討する。
　
２．引用刊行物 
　原査定の拒絶の理由に引用され、本願の優先日前に頒布された刊行物である、国際公開第２００７／０１８６４６号（以下「引用文献１」という。）には、以下の事項が記載されている。
（１）「[00182] In any of the embodiments of the radiation system 10 described herein, the radiation system 10 can further include a PET device secured next to the radiation source 40. FIG. 17A illustrates a variation of the radiation system 10 that includes two PET imagers 600a, 600b. The PET imagers 600a, 600b are located next to the radiation source 40, and opposite from each other across the opening 19. The positions of the PET imagers 600a, 600b can be adjusted using the mechanical linkages 604. In the illustrated embodiments, the radiation system 10 also includes an imager 606, which is similar to the imager 50 discussed previously with reference to FIG. 1B. The imager 606 is located opposite from the radiation source 40 across the opening 19 (at an operative position in association with the radiation source 40). The configuration of the radiation system 10 should not be limited to the examples discussed previously, and that the radiation system 10 can have other configurations in other embodiments. For example, in other embodiments, instead of having the arm 30, the radiation system 10 can have a ring gantry with a slip-ring configuration (e.g., such as that described with reference to FIG. 1F). In such cases, the structure 12 of the radiation system 10 can further include a PET device secured next to the ring gantry. For example, the PET device may comprise imagers 600a and 600b attached to a ring. The radiation source 40 and the imager 606 may also be secured to the same ring. Alternatively, the PET device may include a PET imager having a ring configuration formed as part of the system 10, e.g, within the bore of system 10.」
（仮訳）
「ここに記述されている放射線システム１０のどの実施例も、放射線システム１０は放射線源４０に隣接してＰＥＴ装置をさらに備えることができる。図１７Ａは２つのＰＥＴ画像装置６００ａ、６００ｂを備える放射線システム１０の変形例を示している。ＰＥＴ画像装置６００ａ、６００ｂは放射線源４０に隣接して配置され、互いに開口１９を横切って対向している。ＰＥＴ画像装置６００ａ、６００ｂの位置は機械的リンケージ６０４を用いて調節可能である。ここに示された実施例では、放射線システム１０は、図１Ｂに関連して既に述べた画像装置５０に類似の画像装置６０６も備えている。画像装置６０６は放射線源４０と開口１９を横切って（放射線源４０と関連して操作可能な位置で）対向している。放射線システム１０の形状は上述したものに限定されず、放射線システム１０は他の実施例では異なる形状を持ちうる。例えば、他の実施例では、腕３０を持つ代わりに、放射線システム１０はスリップリング形状の（例えば図１Ｆに関連して述べた）リング状ガントリーを有する。そのような場合には、放射線システム１０の構造体１２はさらに、リング状ガントリーに隣接してＰＥＴ装置を備えることができる。例えば、ＰＥＴ装置はリングに取り付けられた画像装置６００ａと６００ｂを包含する。放射線源４０と画像装置６０６は同じリングに装備することもできる。また、ＰＥＴ装置は、システム１０の内部空洞にシステム１０の一部として形成されたリング形状のＰＥＴ画像装置を備えることもある。」
（２）「[00183] During use, the radiation source 40 can be used to deliver treatment radiation to treat a patient while the patient is positioned at the first operative position associated with the radiation source 40. The radiation source 40 can also be used to deliver low dose radiation to obtain an image (e.g., using the imager 606) of a portion of the patient while the patient is at the first operative position. In such cases, the collimator next to the radiation source 40 may be opened to provide an imaging window for allowing the imaging radiation to pass therethrough. The PET imagers 600a, 600b can be used to obtain PET image data of a portion of the patient while the patient is at the first operative position. Such feature is advantageous in that it allows PET image data from the PET imagers 600a, 600b, and image data from the imager 606, to be collected without moving the patient support. The imagers 600a and 600b can be rotated to obtain data at a plurality of angular positions, to provide more data for volumetric reconstruction.」
（仮訳）
「使用する時には、放射線源４０は、患者が放射線源４０に関する最初の操作位置に置かれている間、患者を治療するために治療放射線を照射するのに用いられる。放射線源４０はまた、患者が最初の操作位置に置かれている間に（例えば画像装置６０６を用いて）患者の部分画像を得るために、低レベルの放射線を照射するのにも用いられる。そのような場合には、映像放射線が画像窓を通過できるように、放射線源４０に隣接するコリメータが開く。ＰＥＴ画像装置６００ａ、６００ｂは患者が最初の操作位置にある間に患者の部分ＰＥＴ画像データを得るために用いられる。そのような特徴はＰＥＴ画像装置６００ａ、６００ｂからのＰＥＴ画像データと、画像装置６０６からの画像データを患者支持体を動かすことなく収集できる点で優れている。画像装置６００ａと６００ｂは、３次元再構成のためのデータを提供する複数の角度位置におけるデータを得るために回転することができる。」
（３）「ＦＩＧ．１７Ａ
　　　　　　　　　　　　　　　　　　　　　　　　　　　　　　　　」
　
　これらの記載事項含む引用文献１全体の記載及び当業者の技術常識を総合すれば、引用文献１には、以下の発明が記載されている。
　「画像装置（６０６）が放射線源（４０）と、放射線源と関連して操作可能な位置で、開口（１９）を横切って対向しており、
　放射線源は画像装置を用いて患者の部分画像を得るために用いられ、
　放射線源に隣接してＰＥＴ装置をさらに備え、２つのＰＥＴ画像装置（６００ａ、６００ｂ）は放射線源に隣接して配置され、互いに開口を横切って対向しており、
　ＰＥＴ画像装置は患者が最初の操作位置にある間に患者の部分ＰＥＴ画像データを得るために用いられ、
　ＰＥＴ画像装置からのＰＥＴ画像データと、画像装置からの画像データを、患者が最初の操作位置にある間に患者支持体を動かすことなく収集でき、
　２つのＰＥＴ画像装置は、複数の角度位置におけるデータを得るために回転することができる、
放射線システム（１０）。」（以下「引用発明」という。）
　
３．対比 
　補正発明と引用発明を対比する。
（１）引用発明の「２つのＰＥＴ画像装置」は、補正発明の「２つの核医学検出器ヘッド」に相当する。引用発明の「２つのＰＥＴ画像装置は、複数の角度位置におけるデータを得るために回転することができる」から、当該「２つのＰＥＴ画像装置」が「回転式ガントリーに搭載され」ていることは自明である。
（２）引用発明の「放射線源」は補正発明の「Ｘ線源」に相当する。当該「放射線源」が「ガントリーに搭載され」ていることは、当業者の技術常識に照らして自明である。
　引用発明の、放射線源と対向している「画像装置」は、補正発明の「Ｘ線源に対向し」て「ガントリーに搭載されたＸ線検出器」に相当する。
（３）引用発明の「放射線システム」は補正発明の「複合型患者撮像システム」に相当する。
　
　してみると両者は、 
　「回転式ガントリーに搭載された少なくとも２つの核医学検出器ヘッド；
　前記ガントリーに搭載されたＸ線源；
　前記Ｘ線源に対向し前記ガントリーに搭載されたＸ線検出器；
　を含む、
　複合型患者撮像システム。」
の点で一致し、次の各点で相違している。
　
（相違点１）
　Ｘ線検出器が、補正発明では「Ｘ線源に対してオフセットされて」いるのに対して、引用発明ではオフセットされていない点。
（相違点２）
　補正発明では「Ｘ線源の視野（ＦＯＶ）と核医学検出器ヘッドのＦＯＶとが互いに重なり合う」のに対して、引用発明がそのように構成されているかどうか不明な点。
（相違点３）
　補正発明が「Ｘ線検出器とガントリー上のマウントとにヒンジ動作可能に結合され、Ｘ線検出器を収納位置及び伸張位置で固定する自動固定式伸張アームを含み、」「Ｘ線検出器は、使用されないときに回転式ガントリーの正面の後方に回転されるように、回転式ガントリーに回転可能に搭載される」のに対して、引用発明はそのような構成を有さない点。
　
４．判断 
　上記各相違点について検討する。
（１）相違点１について
　回転式ガントリーを備えたＸ線ＣＴにおいて、Ｘ線検出器をＸ線源に対してオフセット配置することにより、検出器サイズの小型化ひいては装置全体の小型化を図ることは、本願の優先日時点で広く知られた周知技術（原査定の拒絶理由に引用された特開平１１−９５８３号公報参照）である。
　そして、引用発明に当該周知技術を用いることに格別の技術的困難性も阻害要因もない。
　してみると、引用発明に上記相違点１に係る構成を採用することは当業者が容易になしうる事項である。
（２）相違点２について
　引用発明が「ＰＥＴ画像装置からのＰＥＴ画像データと、画像装置からの画像データを患者が最初の操作位置にある間に患者支持体を動かすことなく収集でき」ること、及び、当該技術分野において患者の同一部位を異なるモダリティで撮影することが技術常識であることに照らせば、「放射線源」を用いて得られる「患者の部分画像」と「ＰＥＴ画像装置」を用いて得られる「患者の部分ＰＥＴ画像」を「互いに重なり合」う領域の画像とすることは、当業者が適宜採用しうる事項である。
　そして、そのために両者の「ＦＯＶ」を「互いに重なり合」うものとすることに、格別の技術的困難性も阻害要因もない。
　してみると、引用発明に上記相違点２に係る構成を採用することは当業者が容易になしうる事項である。
（３）相違点３について
　回転式ガントリーを備えたＸ線ＣＴにおいて、ガントリーに設けた伸張アームで、Ｘ線検出器を収納位置及び伸張位置で固定保持することも、Ｘ線検出器が使用されないときにヒンジ機構によりガントリーの正面の後方に回転されるように搭載することも、ともに本願の優先日時点で広く知られた周知技術（原査定の拒絶理由に引用された特開平９−３１８７５１号公報参照）である。
　そして、引用発明に当該周知技術を用いることに格別の技術的困難性も阻害要因もない。
　してみると、引用発明に上記相違点３に係る構成を採用することは当業者が容易になしうる事項である。
　
（４）効果について
　そして、補正発明全体の効果も、引用発明及び周知技術に基いて当業者が予測し得る範囲のものであって格別なものではない。
　
　したがって、補正発明は、引用発明に基いて当業者が容易に発明をすることができたものであるから、特許法第２９条第２項の規定により特許出願の際独立して特許を受けることができないものである。
　
５．小括 
　以上のとおり、本件補正は、特許法第１７条の２第６項の規定において準用する同法第１２６条第７項の規定に違反するので、同法第１５９条第１項において読み替えて準用する同法第５３条第１項の規定により却下すべきものである。
　よって、上記［補正の却下の決定の結論］のとおり、決定する。
 　
第３　本願発明について 
１．本願発明
　平成２５年９月２７日付けの手続補正は上記のとおり却下されたので、本願の特許請求の範囲の請求項１に係る発明（以下「本願発明」という。）は、平成２５年５月１日付けの手続補正で補正された特許請求の範囲の請求項１に記載された事項により特定される、以下のとおりのものである。
「回転式ガントリーに搭載された少なくとも２つの核医学検出器ヘッド；
　前記ガントリーに搭載されたＸ線源；
　前記Ｘ線源に対向し且つ前記Ｘ線源に対してオフセットされて前記ガントリーに搭載されたＸ線検出器；
　を含み、
　前記Ｘ線源の視野（ＦＯＶ）と前記核医学検出器ヘッドのＦＯＶとが互いに重なり合い、
　前記Ｘ線検出器は、使用されないときに前記回転式ガントリーの正面の後方に回転されるように、前記回転可能ガントリーに回転可能に搭載される、
　複合型患者撮像システム。」
　
２．引用刊行物
　原査定に引用され、本願の優先日前に頒布された刊行物及びその記載内容は、前記「第２」の「２．」に記載したとおりである。
　
３．対比
　本願発明は、前記「第２」で検討した補正発明から、少なくとも「前記Ｘ線検出器と前記ガントリー上のマウントとにヒンジ動作可能に結合され、前記Ｘ線検出器を収納位置及び伸張位置で固定する自動固定式伸張アーム」という事項を削除することにより拡張したものである。
　そうすると、本願発明の特定事項を全て含み、さらに他の特定事項を付加したものに相当する補正発明が、前記「第２」の「４．」に記載したとおり、引用発明及び周知技術に基いて当業者が容易に発明をすることができたものであるから、本願発明も、同様の理由により、当業者が容易に発明をすることができたものである。
　
第４　むすび 
　以上のとおり、本願発明は、引用発明及び周知技術に基いて当業者が容易に発明をすることができたものであり、特許法第２９条第２項の規定により特許を受けることができないから、本願の他の請求項に係る発明について検討するまでもなく、本願は、拒絶されるべきものである。 
　よって、結論のとおり審決する。